(57)【要約】【課題】    室内装飾品の多くは美的価値を高めるため、着色したりデザインに工夫したりされるが、着色やデザインの工夫で他の室内装飾品との差別化を図ることは難しいという実情がある。そのような実情に鑑み、室内装飾品の差別化を図り付加価値を高めた室内装飾品の提供を目的とするものである。【解決手段】風水的特徴を有する室内装飾品に、風水の理論に基づく配置の方位及び祈願目的等を表示する。  また、風水的特徴を有する室内装飾品に、風水の理論に基づく配置の方位及び祈願目的等の表示を、シールにより表示する。    また、風水的特徴を有する室内装飾品に、風水の理論に基づく配置の方位及び祈願目的等の表示を、祈願札的タイトルの表示されたシールにより表示する。【選択図】  図３
2005246000.tif 000002
【特許請求の範囲】
【請求項１】
風水的特徴を有する室内装飾品に、風水の理論に基づく配置の方位及び祈願目的等が表示されたことを特徴とする風水用室内装飾品。
【請求項２】
風水的特徴を有する室内装飾品に、風水の理論に基づく配置の方位及び祈願目的等の表示を、シールにより表示することを特徴とする風水用室内装飾品。
【請求項３】
風水的特徴を有する室内装飾品に、風水の理論に基づく配置の方位及び祈願目的等の表示を、祈願札的タイトルの表示されたシールにより表示することを特徴とする風水用室内装飾品。
【請求項４】
室内装飾品が異なるに色に着色された炭製品セットであって、風水の理論に基づく配置の方位及び祈願目的等の表示を、シール又は祈願札的タイトルの表示されたシールにより表示することを特徴とする風水用室内装飾品。
【発明の詳細な説明】
【技術目的】
【０００１】    本発明は、室内に飾る風水用の装飾品に関するものである。
【背景技術】
【０００２】    自然木を素材とする室内装飾品に、その木目を背景に活用する先行技術として「室内装飾品」がある（例えば、特許文献１参照）。
また、木炭を活用した室内装飾品として、「粒状木炭を内蔵した室内装飾品」が先行技術としてある（例えば、特許文献２参照）。
また、特定の器物に特定の事項を効果的に表示し、顕著な効果を得た事例として「マンホール蓋」がある（例えば、特許文献３参照）。
また、特定の器物に特定の事項を表示したシールを貼付して効果的に表示し、顕著な効果を得た事例として「自動車用前照灯」がある（例えば、特許文献４参照）。
また、風水の書物の中に、方位と相性のよいラッキーカラー、アイテム，形状などがあることや、方位による司る事象の異なることを説く理論がある（例えば、非特許文献１参照）。
【特許文献１】          実登３０７９０５５号公報（請求項１〜４、図１〜６）
【特許文献２】          実登３０６８６０９号公報（請求項１〜１１、図１〜９）
【特許文献３】          特公第２６３８６０６号公報（請求項１〜２、図１）
【特許文献４】          特公第２８４１５８８号公報（請求項１、図１）
【非特許文献１】          主婦の友生活シリーズ「２００４年決定版Ｄｒコパの風水インテリア大開運術」株式会社主婦の友社、平成１５年１１月２０日、ｐ．８２，６５
【発明の開示】
【発明が解決しようとする課題】
【０００３】    室内装飾品の多くは美的価値を高めるため、着色したりデザインに工夫したりされるが、着色やデザインの工夫で他の室内装飾品との差別化を図ることは難しいという実情がある。そのような実情に鑑み、室内装飾品の差別化を図り付加価値を高めた室内装飾品の提供を目的とするものである。
【課題を解決するための手段】
【０００４】    上記課題を解決するため、本願では、風水的特徴を有する室内装飾品に、風水の理論に基づく配置の方位及び祈願目的等を表示する。【０００５】    また、風水的特徴を有する室内装飾品に、風水の理論に基づく配置の方位及び祈願目的等の表示を、シールにより表示する。【０００６】    また、風水的特徴を有する室内装飾品に、風水の理論に基づく配置の方位及び祈願目的等の表示を、祈願札的タイトルの表示されたシールにより表示する。【０００７】    また、異なるに色に着色され室内装飾品として作られた炭製品セットに、風水の理論に基づく配置の方位及び祈願目的等の表示を、シール又は祈願札的タイトルの表示されたシールにより表示する。
【発明の効果】
【０００８】    本願請求項１の場合、着色や形状などの風水的特徴を有する室内装飾品に、風水の理論に基づく配置の方位及び祈願目的等を表示することにより、風水グッズとして利用でき、単なる室内装飾品との差別化を図り付加価値を高めることができる。
また、風水的特徴を有する室内装飾品に、風水の理論に基づく配置の方位及び祈願目的等を表示することにより、風水の知識がない者でも、風水の理論に適った方位に風水の理論に適った色や形状の室内装飾品を配置して飾りつけすることができると共に、風水の理論が説く祈願的効果を風水の理論に基づき正しく求めることができる。
また、風水的特徴を有する室内装飾品に、風水の理論に基づく配置の方位及び祈願目的等を表示する方法によると、風水の理論では祈願目的が異なれば方位も異なり、祈願目的を複数もつ者には複数の室内装飾品が必要となってくる。従って、二点セットや三点セットなどのセット販売がしやすくなり客単価のアップを図ることができる。
上記のように、風水的特徴を有する室内装飾品に、風水の理論に基づく配置の方位及び祈願目的等を表示した物は、特定の器物に特定の事項を効果的に表示し、顕著な効果を得た例示文献事例に相当する。このことは、風水的特徴を持たない室内装飾品に、風水の理論に基づく配置の方位及び祈願目的等を表示しても、或いは、風水的特徴を有する室内装飾品でも、風水の理論に基づかない配置の方位及び祈願目的等を表示しても、風水の理論が説く祈願的効果を風水の理論に基づいて正しく求めることができないことからも明白である。
また、本願請求項２のように、風水的特徴を有する室内装飾品に、風水の理論に基づく配置の方位及び祈願目的等を表示する方法として、配置の方位及び祈願目的等を印刷したシールを貼って表示する方法を用いると、上記各効果を得るほか、手工業で作られる風水用室内装飾品への配置の方位及び祈願目的等の表示を簡略化できる。
また、既製の風水的特徴を有する室内装飾品にシールを貼って表示するだけで容易に差別化を図り付加価値を高めることができると共に、既製の風水的特徴を有する室内装飾品を利用して風水的特徴に見合う配置の方位及び祈願目的等を表示した風水グッズの新商品をローリスクで商品化することができる。
また、シールの文字、囲み枠、シールの地色などの色を、貼り付けるべき風水用室内装飾品の色と同色で表示する方法を用いて、複数の種類がある文字表示のシールを、選択的に貼る作業工程中の貼り付け違いの防止策とすることができる。この方法による場合、製品化された後でもシールの貼り付け違いを見つけることができるので好都合である。
上記のように、風水的特徴を有する室内装飾品に、風水の理論に基づく配置の方位及び祈願目的等を表示したシールを貼って表示した物は、特定の器物に特定の事項を表示したシールを貼付して効果的に表示し、顕著な効果を得た例示文献事例に相当する。
また、本願請求項３のように、風水的特徴を有する室内装飾品に、風水の理論に基づく配置の方位及び祈願目的等の表示を、祈願札的タイトルの表示されたシールにより表示する場合、風水用室内装飾品の祈願的機能、祈願的効果がより鮮明になる。
また、祈願札的タイトルの表示と共に、配置の方位や祈願目的等の表示を一体にしたシールそのものが、風水用室内装飾品に貼付する新規なシール式祈願札となる。
また、本願請求項４のように、異なるに色に着色され室内装飾品として作られた炭製品セットに、風水の理論に基づく配置の方位及び祈願目的等の表示を、シール又は祈願札的タイトルの表示されたシールにより表示する室内装飾品の場合、下記の効果が生じる。
先ず、炭製品を着色することにより他の物と接触しても汚れなくなり、また、セットの色が異なり、配置する方位や祈願目的等が異なるのでセット販売がしやすくなる。
次に、異なる色に着色された風水用室内装飾品としての炭製品セットは、色が異なる故に室内の異なる方位に配置され飾りつけられる。従って、炭の消臭効果やマイナスイオン放出などの効果が室内に満遍なく波及させられる。
【発明を実施するための最良の形態】
【０００９】    風水的特徴を有する室内装飾品とは、室内装飾品の色、形状、機能などが、風水のラッキーカラーやアイテムに該当する室内装飾品をいう。
配置の方位とは、棚に置いたり、柱に掛けたり、壁に吊るしたりする室内装飾品の、飾ったり置いたりする方位や方角をいうものであって、風水の理論に基づく配置の方位の表示は、風水の理論に基づき、祈願の事象を司るとされる方位を表示したり、或いは、風水の理論に基づき、風水用室内装飾品の風水的特徴色である色、形状、機能などに従い、その色、形状、機能などのパワーが強く発揮される方位に室内装飾品を配置し飾りつけができるよう、室内装飾品の色、形状、機能などに見合う配置の方位を表示したりする。
従って、配置の方位の表示は、「東」「西方」「南方に配置」「北の方角に飾って下さい」など、飾ったり置いたりする方位や方角を示す字句で表示することができる。
同様に、祈願目的等とは、室内装飾品を置いたり飾ったりして、祈願したり希求する目的や、室内装飾品を置いたり飾ったりすることにより得られる祈願的効果をいうものであって、風水の理論に基づき、その方位が司るとされる祈願目的や祈願的効果を表示する。
従って、祈願目的等の表示は、「開運」「健康」「招福」「健康増進」「金運アップ」など、祈願、希求する目的を示す字句で表示したり、「金運が良くなる」「良縁を得る」「健康に恵まれる」など祈願的効果を示す字句で表示したりすることができる。
例えば、黄色に着色された室内装飾品の場合、風水の理論に基づけば、黄色の吉なる方位に「西」がある。
また、風水の理論に基づけば、西が司るものに「金運」がある。
従って、上記例によると、黄色に着色された風水用室内装飾品に表示する配置の方位は西の方位を示す字句で表示し、例えば、「西」「西方」「西に配置する」「西方に飾る」などと表示することができる。
また「祈願目的等」の表示は金運又は金運に関連する字句で表示し、例えば、「金運」「金運アップ」「金運が良くなる」「財運」「収入が増える」などと表示することができる。
なお、室内装飾品の形状や材質は、特に限定されるものではないが、祈願、希求する目的や効果に相応しい形状や材質に形成することが望ましい。
また、室内装飾品が台座やケースなどを用いて飾るものの場合、配置の方位及び祈願目的等の表示は、当該台座やケースなどに表示しても本願の目的、効果を得られるものであり、室内装飾品と一体に飾りつけられる台座やケースなどの装飾具も、当然のことながら本願にいう室内装飾品に含まれるものである。
風水の理論に基づく配置の方位及び祈願目的等の表示を、シールにより表示する方法は、配置の方位及び祈願目的等が印刷などにより表示されたシールを貼付することにより実施することができる。
シールには剥離紙を設けることが作業効率的に望ましく、粘着材や接着剤は室内装飾品の素材などに見合わせて製作する。
また、作業工程中の貼り付け違いを防止する観点から、シールの文字、囲み枠、シールの地色などの色を、貼り付けるべき室内装飾品の色と同色（類似色を含む）で表示することが望ましい。
祈願札的タイトルとは、祈願札的なものであることを表現するための字句を用いた表示をいうものであって、例えば、「風水」「風水招福」「風水開運シール」「風水招福祈願札」などのタイトルで表示することができる。
また、祈願札的タイトルは、祈願札的なものであることを表現するための字句を用いた表示をいうものであって、その表示位置を限定するものではなく、例えば、配置の方位の表示と祈願目的等の表示との間に表示しても、その目的、効果を同じくするものである。
また、祈願札的タイトルの表示は、配置の方位の表示文字や祈願目的等の表示文字と大きさを変えたり、枠で囲んだりして、祈願札的なものであることを特徴付ける表示にすることが望ましい。
なお、祈願札的タイトルと共に、風水の理論に基づく配置の方位及び祈願目的等が一体に印刷されたシールは、風水用室内装飾品に用いる新規なシール式祈願札として利用できるものであり、寺社での祈祷済みの表示や寺社の名前を表示する形態も選択できる。
異なるに色に着色され室内装飾品として作られた炭製品セットとは、例えば、黄色、青色、緑色、桃色などの色に着色され、室内で飾るように作られた炭製品のセットをいう。
炭製品の着色は、例えば、スプレー式塗料を吹き付けることで実施できる。
なお、室内装飾品が細長いものである場合、風水で吉なる寸法といわれる略２１．５ｃｍに形成することが望ましい。
【実施例１】
【００１０】    以下図面に基づいて実施例を説明する。
図１は、請求項１による風水用室内装飾品の平面図である。
金運をアップさせるための風水グッズとして作られたもので、金運を呼ぶためのアイテムとして利用できるよう小判形に形成されている。
風水の理論に基づくと金運を司るとされる方位は西である。
従って、風水用室内装飾品１は、風水の理論に基づく配置の方位の表示２として「西に配置」と表示され、祈願目的等の表示３として「金運アップ」と表示されている。
【実施例２】
【００１１】    図２は、請求項２による室内装飾品の斜視図である。
金運をアップさせるための風水グッズを、金運を呼ぶためのアイテムとしての小判形に形成し、金運を呼ぶためのラッキーカラーといわれる黄色に着色している。
風水用室内装飾品１は、台座Ａに飾られ、台座Ａにはシール４が貼付されている。
シール４には、風水の理論に基づく配置の方位の表示２として、金運を司るとされる方位を表示するため「西方に飾る」と印刷され、祈願目的等の表示３として「金運アップ」と印刷されている。
また、上記シール４は、貼り付けるべき室内装飾品の色が黄色であるので、望ましい実施例として、シールの枠を、貼り付けるべき室内装飾品の色と同色で表示Ｃするため黄色に着色されている。
なお、請求項２での室内装飾品は、小判形に形成された室内装飾品と、それを飾るための台座を含むものである。
【実施例３】
【００１２】    図３は、請求項３による室内装飾品の平面図である。
金運をアップさせるための風水グッズを、金運を呼ぶためのアイテムとしての小判形に形成し、金運を呼ぶためのラッキーカラーといわれる黄色に着色している。
風水用室内装飾品１は、薄い合成樹脂製透明のケースＢに収められ、ケースＢには祈願札的タイトルが表示されたシール４が貼付されている。
シール４は、１段目に祈願札的タイトルの表示５として「風水招福」と印刷されたうえ、望ましい実施例として、祈願札的なものであることを特徴付ける表示にするためのアンダーラインが引かれている。
２段目には、風水の理論に基づく配置の方位の表示２として、金運を司るといわれる方位を表示するため「西」と印刷され、３段目には、祈願目的等の表示３として「金運アップをサポート」と印刷されている。
４段目には、○○神社での祈祷を受けた証として「○○神社」と印刷されている。
また、望ましい実施例として、シールの枠は、貼り付けるべき室内装飾品の色と同色で表示Ｃするため黄色に着色されている。
なお、請求項３での室内装飾品は、小判形に形成された室内装飾品と、それを収納するケースを含むものである。【００１３】    図４は、請求項４による室内装飾品の平面図である。
略２１．５ｃｍの竹炭４本に、風水的特徴をつけるため黄、青、緑、桃の各色にスプレー式塗料を吹き付けて着色されている。
異なる色に着色された炭製品セット６は、上部に穴が設けられ紐がつけられている。
また、異なる色に着色された竹炭には、夫々シール４が貼付されている。
黄色に着色された竹炭に貼付されたシール４は、祈願札的タイトルの表示５として「風水」、風水の理論に基づく配置の方位の表示２として「西方に飾る」、祈願目的等の表示３として「金運アップ」、と印刷されている。
また、望ましい実施例として、シールの枠は、貼り付けるべき室内装飾品の色と同色で表示Ｃするため黄色に着色されている。
以下同様に、青色の竹炭に貼付されたシール４は、「風水」「東方に飾る」「仕事運サポート」と印刷されたうえ、シールの枠は、貼り付けるべき室内装飾品の色と同色で表示Ｃするため青色に着色されている。
緑色の竹炭に貼付されたシール４は、「風水」「南方に飾る」「健康増進」と印刷されたうえ、シールの枠は、貼り付けるべき室内装飾品の色と同色で表示Ｃするため緑色に着色されている。
桃色の竹炭に貼付されたシール４は、「風水」「東南に飾る」「良縁成就」と印刷されたうえ、シールの枠は、貼り付けるべき室内装飾品の色と同色で表示Ｃするため桃色に着色されている。
なお、祈願札的タイトル５の表示としての「風水」の文字には、望ましい実施例として、祈願札的なものであることを特徴付ける表示にするためのアンダーラインが引かれている。
【図面の簡単な説明】
【００１４】
【図１】 
【００１５】    請求項１による室内装飾品の平面図である。【図２】 
【００１６】    請求項２による室内装飾品の斜視図である。【図３】 
【００１７】    請求項３による室内装飾品の平面図である。【図４】 
【００１８】    請求項４による室内装飾品の平面図である。
【符号の説明】
【００１９】      １  風水用室内装飾品
２  配置の方位の表示
３  祈願目的等の表示
４  シール
５  祈願札的タイトルの表示
６  異なる色に着色された炭製品セット
Ａ  台座
Ｂ  ケース
Ｃ  貼り付けるべき室内装飾品の色と同色で表示
【図１】
2005246000.tif 000003
【図２】
2005246000.tif 000004
【図３】
2005246000.tif 000005
【図４】
2005246000.tif 000006
【手続補正書】
【提出日】平成16年5月21日(2004.5.21)
【手続補正１】
【補正対象書類名】明細書
【補正対象項目名】００１４
【補正方法】変更
【補正の内容】
【００１４】
【手続補正２】
【補正対象書類名】明細書
【補正対象項目名】００１５
【補正方法】変更
【補正の内容】
【００１５】
【図１】請求項１による室内装飾品の平面図である。
【手続補正３】
【補正対象書類名】明細書
【補正対象項目名】００１６
【補正方法】変更
【補正の内容】
【００１６】
【図２】請求項２による室内装飾品の斜視図である。
【手続補正４】
【補正対象書類名】明細書
【補正対象項目名】００１７
【補正方法】変更
【補正の内容】
【００１７】
【図３】請求項３による室内装飾品の平面図である。
【手続補正５】
【補正対象書類名】明細書
【補正対象項目名】００１８
【補正方法】変更
【補正の内容】
【００１８】
【図４】請求項４による室内装飾品の平面図である。